(57)【特許請求の範囲】
【請求項１】
電気機器の名称を表示する表示ラベルを収納し、表面から該表示ラベルを視認可能としたカードホルダであって、
該カードホルダは、樹脂性の薄板を折り曲げて扁平筒状に一体形成され、
該カードホルダの左右端部に、該表示ラベルの挿入口あるいは引抜口となる貫通口を有し、
該カードホルダの左右端部の該貫通口付近の内側に、該カードホルダに収納された該表示ラベルの脱落を防止する脱落防止突起を一体に形成するとともに、該脱落防止突起に対向する箇所のうち、少なくとも一方に、該脱落防止突起と嵌合する孔部を形成し、
該表示ラベルは、該脱落防止突起に当接して脱落が防止されることを特徴とするカードホルダ。
【請求項２】
該脱落防止突起を、該カードホルダの背面側に形成し、該カードホルダの表面側に前記孔部を形成したことを特徴とする請求項１記載のカードホルダ。
【請求項３】
該カードホルダは、該表示ラベルの表面と相対する表面部と、該表面部の上下端部から該表示ラベルの裏面と相対する方向に折り返し形成された腕部とからなり、
該腕部に該脱落防止突起を形成したことを特徴とする請求項１または２記載のカードホルダ。
【発明の詳細な説明】
【技術分野】
【０００１】
本発明は、電気機器収納用箱のユニット、分電盤等に貼り付けされるカードホルダに関するものである。
【背景技術】
【０００２】
複数のユニットが取り付けられる電気機器収納用箱や、複数の分岐開閉器を有する分電盤では、通常、各ユニットや分岐開閉器の用途や名称等を表記した表示ラベルを保持するカードホルダを筐体内に貼付して、配線作業等における作業性の向上を図っている。
【０００３】
カードホルダの構造として、従来、ホルダ本体に透明カバーを被せて、その間に表示ラベルを保持させるもの（特許文献１）や、筐体内に配置された中蓋等の基材に係止された透明カバー固定部材で透明カバーを挟みこんで固定して、基材と透明カバーとの間に形成される隙間に表示ラベルを保持させるもの（特許文献２）等が開示されている。
【０００４】
しかし、特許文献１記載のカードホルダは、ホルダ本体にヒンジを介して透明カバーを開閉自在に一体に連設したものであり、特許文献２記載のカードホルダは、透明カバー固定部材に爪部を形成するとともに、基材に穴部を形成して、該爪部と該穴部とを係止するものであり、何れも、構成部品点数が多く、構造が複雑になる問題があった。
【先行技術文献】
【特許文献】
【０００５】
【特許文献１】特開平０８-１４６８７７号公報
【特許文献２】実公平５-２６６０９号公報
【発明の概要】
【発明が解決しようとする課題】
【０００６】
本発明の目的は前記の問題を解決し、従来のカードホルダに比べて、少ない部品点数で構成された簡易な構造のカードホルダを提供することである。
【課題を解決するための手段】
【０００７】
上記課題を解決するためになされた本発明のカードホルダは、電気機器の名称を表示する表示ラベルを収納し、表面から該表示ラベルを視認可能としたカードホルダであって、該カードホルダは、樹脂性の薄板を折り曲げて扁平筒状に一体形成され、該カードホルダの左右端部に、該表示ラベルの挿入口あるいは引抜口となる貫通口を有し、該カードホルダの左右端部の該貫通口付近の内側に、該カードホルダに収納された該表示ラベルの脱落を防止する脱落防止突起を一体に形成するとともに、該脱落防止突起に対向する箇所のうち、少なくとも一方に、該脱落防止突起と嵌合する孔部を形成し、該表示ラベルは、該脱落防止突起に当接して脱落が防止されることを特徴とするものである。
【０００８】
請求項２記載の発明は、請求項１記載のカードホルダにおいて、該脱落防止突起を、該カードホルダの背面側に形成し、該カードホルダの表面側に前記孔部を形成したことを特徴とするものである。
【０００９】
請求項３の発明は、請求項１または２記載のカードホルダにおいて、該カードホルダは、該表示ラベルの表面と相対する表面部と、該表面部の上下端部から該表示ラベルの裏面と相対する方向に折り返し形成された腕部とからなり、該腕部に該脱落防止突起を形成したことを特徴とするものである。
【発明の効果】
【００１０】
本発明に係るカードホルダによれば、電気機器の名称を表示する表示ラベルを収納するカードホルダを、樹脂性の薄板を折り曲げて扁平筒状に一体形成し、該カードホルダの左右端部に、該表示ラベルの挿入口あるいは引抜口となる貫通口を形成し、該カードホルダの左右端部の該貫通口付近の内側に、該カードホルダに収納された該表示ラベルの脱落を防止する脱落防止突起を一体に形成するとともに、該脱落防止突起に対向する箇所のうち、少なくとも一方に、該脱落防止突起と嵌合する孔部を形成し、該表示ラベルは、該脱落防止突起に当接して脱落が防止される構成により、簡易な構造の一部材のみで表示ラベルを収納することができる。更に、表示ラベルの出し入れ作業も容易に行うことができ、かつ、収納された表示ラベルの脱落も効果的に防止することができる。
【図面の簡単な説明】
【００１１】
【図１】複数のユニットを搭載した光接続箱の全体説明図である。
【図２】ユニットの全体斜視図である。
【図３】本実施形態におけるカードホルダの全体斜視図である。
【図４】他の実施形態におけるカードホルダの表面部側から見た図である。
【図５】図３のＡ−Ａ断面図である。
【図６】他の実施形態におけるカードホルダの表面部側から見た図である。
【発明を実施するための形態】
【００１２】
以下に本発明の好ましい実施形態を示す。本実施形態のカードホルダ１は、図１、図２に示すように、スプライスユニットや融着トレイなど、複数のユニット２を搭載する光接続箱３の筐体内部で、各ユニット２の前面に貼付して使用される。
【００１３】
カードホルダ１は、図３、図５に示すように、透明な樹脂性の薄板を折り曲げて扁平筒状に一体形成され、内部に形成される空間に、電気機器の名称や用途や構造などを記載した表示ラベル６を収納し、表面部４から、カードホルダ１内に収納された表示ラベル６を視認可能としたものである。カードホルダ１は、表示ラベル６の表面と相対する表面部４と、表面部４の上下端部から表示ラベル６の裏面と相対する方向に折り返し形成された腕部８とからなり、腕部８に脱落防止突起１０を一体に形成した
【００１４】
カードホルダ１の左右端部には、表示ラベル６の挿入口あるいは引抜口となる貫通口７が形成されている。脱落防止突起１０はカードホルダ１より折り返し形成された腕部８の貫通口７付近に一体に形成されているものである。なお脱落防止突起１０は左右端部それぞれに２つ形成しているものであるが、１つ形成するものであって良い。
【００１５】
腕部８には、カードホルダ１に収納された表示ラベル６の脱落を防止する凸状の脱落防止突起１０が一体形成されている。凸状の先端高さは、少なくとも、表面部４の裏側に当接する高さとし、表示ラベル６の挿入あるいは引抜作業時には、樹脂部材を撓ませて表面部４と脱落防止突起１０の間に空隙を形成させて表示ラベル６の挿入あるいは引抜作業を行うものとする。なお、カードホルダ１をユニット２へ貼付する際には、腕部８の裏面に両面テープを貼り付けて簡易に行うことができる。
【００１６】
表示ラベル６は、図３に示すように、脱落防止突起１０の側面に左右両端を当接させて貫通口７より脱落しないように保持される。本発明では、当該構造によって、例えば、カードホルダ１内に表示ラベル６を収納後、貫通口７を別部材で挟みこんで、表示ラベル６の落下防止を図る場合に比べて、簡易な構造で表示ラベル６の脱落防止を実現するとともに、表示ラベル６の出し入れ作業の作業性向上も図っている。本実施形態では、表示ラベル６の出し入れ作業の作業性向上のために、更に、表面部４の左端部に、半円状の切欠部１１を形成している。切欠部１１は、脱落防止突起１０の周縁および表示ラベル６の一部に指が当接できるように、露出部１３を設けている。この露出部１３から表示ラベル６を脱落防止突起１０の上部を通過するように滑らせながら引き抜くものである。なお、図４に示すように、表面部４の左右両方に形成してもよい。
【００１７】
なお、脱落防止突起１０の凸状の先端高さを、ちょうど表面部４の裏側に当接する高さとした場合、カードホルダ１が貼付されるユニット２からの発熱によって、カードホルダ１を構成する樹脂部材が膨張して、表面部４の裏側と脱落防止突起１０の凸状の先端部との間に空隙が生じてしまい、この空隙から表示ラベル６が落下する恐れがある。そこで、本実施形態では、カードホルダ１の右側に形成された脱落防止突起１０に対向する表面部４に、脱落防止突起１０と嵌合する孔部１２を形成し、図３及び図５に示すように、この孔部１２に脱落防止突起１０が嵌合される構造としている。本実施形態では、カードホルダ１の一方の端部である右側にのみ、孔部１２を形成しているが、左右両方に形成してもよい。
【００１８】
また、本実施形態において、脱落防止突起１０は腕部８に形成しているが、他の実施形態として、図６に示すように、凸状の脱落防止突起１０を表面部４の裏面側に一体に形成し、凸状の先端高さは、少なくとも、腕部８の表側に当接する高さとすることもできるし、更に腕部８に孔部１２を形成することにより嵌合させる構造とすることも可能である。
【００１９】
また、本実施形態では、表示ラベル６が脱落防止突起１０の左右両端を当接させる長さとして、常時、表示ラベル６が脱落防止突起１０に当接して保持し脱落を防止するものとしたが、表示ラベル６を左右端部の脱落防止突起１０間の寸法より短くし、表示ラベル６が貫通口７付近にスライドして移動してきたときに、脱落防止突起１０に当接して脱落を防止するものとしても良い。
【符号の説明】
【００２０】
１  カードホルダ
２  ユニット
３  光接続箱
４  表面部
６  表示ラベル
７  貫通口
８  腕部
９  腕部間の間隙
１０  脱落防止突起
１１  切欠部
１２  孔部
１３  露出部
【図１】
0005942184.tif 000002
【図２】
0005942184.tif 000003
【図３】
0005942184.tif 000004
【図４】
0005942184.tif 000005
【図５】
0005942184.tif 000006
【図６】
0005942184.tif 000007